(57)【要約】【課題】ボタンの回動軸が軸受と軸押さえ部とによって挟持され、回動軸中心に回動するボタン構造においてガタツキの発生を抑制する。【解決手段】軸受は斜交する軸受面を有し、当該斜交する軸受面の対向する二点で前記回動軸の周面に当接する。軸押さえ部は、前記回動軸の周面が前記軸受の軸受面に当接していない位置で前記回動軸に向かって突出する突起部を備えている。【選択図】図２
2010009997.tif 000002
【特許請求の範囲】
【請求項１】
ボタンの回動軸が軸受と軸押さえ部とによって挟持され、回動軸中心に回動するボタン構造であって、
前記軸受は斜交する軸受面を有し、当該斜交する軸受面の対向する二点で前記回動軸の周面に当接し、
前記軸押さえ部は、前記回動軸の周面が前記軸受の軸受面に当接していない位置で前記回動軸に向かって突出する突起部を備えている
ことを特徴とするボタン構造。
【請求項２】
前記突起部は、前記軸受と共に前記軸押さえ部が前記回動軸を挟持した際に前記回動軸とオーバーラップする部分を前記回動軸に向かう側に備えている
ことを特徴とする請求項１記載のボタン構造。
【請求項３】
前記突起部は、前記回動軸の軸方向において、前記回動軸の周面が前記軸受の軸受面と当接している位置とは異なる位置で前記回動軸に向かって突出している
ことを特徴とする請求項１又は２記載のボタン構造。
【請求項４】
前記軸受の斜交する軸受面は、断面三角形状を有する溝によって形成されていることを特徴とする請求項１乃至３のいずれか一項に記載のボタン構造。
【発明の詳細な説明】
【技術分野】
【０００１】
本発明はボタン構造に関する。
【背景技術】
【０００２】
従来からボタン構造に関しては種々の提案がされており、特に、ボタンスイッチに関しては、操作軸のガタツキをなくす種々の提案がされている（例えば、特許文献１、２）。
【０００３】
このボタン構造の中でも、ボタンの回動軸が軸受と軸押さえ部とによって挟持され、回動軸中心に回動する構造・形態のものに関しては、従来から、図１（ｃ）〜（ｅ）図示の構造・形態のものが使用されていた。
【０００４】
ボタン１の回動軸２は図１（ｃ）において左右方向に延びるその長手方向の両端が軸受４ａ、４ｂと、軸押さえ部３とによって図１（ｅ）図示のように挟持される。この状態で回動軸２は回動軸中心に矢印６ａあるいは、矢印６ｂ方向に回動する。
【０００５】
軸受４ａ、４ｂと、軸押さえ部３とによって挟持される回動軸２の部分（図１（ｃ）における回動軸２の左右両端）では、少なくとも、その周面２ａ、周面２ｃは、図１（ｅ）図示のように断面が湾曲面になるように形成されているのが一般的である。回動軸２の周面２ａは、軸押さえ部３の当接面３ａに当接し、回動軸２の周面２ｃは、軸受４ｂに備えられている軸受面４ｄ、４ｃ、４ｅのうち、軸押さえ部３の当接面３ａに対向する軸受け面４ｃに当接する。そこで、少なくとも、回動軸２の周面２ａ、周面２ｃを図１（ｅ）図示のように断面が湾曲面になるようにし、軸受４ａ、４ｂと、軸押さえ部３とによって挟持されている状態で回動軸２が矢印６ａ、６ｂ方向にスムーズに回動できるようにしている。
【０００６】
しかし、このような従来のボタン構造においては、軸押さえ部３との間で回動軸２の両端を挟持する軸受４ａ、４ｂの断面は、図１（ｅ）図示のように四角形状になっていた。このため、回動軸２の径、軸受４ａ、４ｂの寸法、軸押さえ部３の寸法にバラツキが生じるとガタツキが生じるという問題があった。
【０００７】
図１（ｅ）図示の状態では、回動軸２の径、軸受４ａ、４ｂの寸法、軸押さえ部３の寸法のバラツキによって、例えば、軸受面４ｄとこれに対向する回動軸２の周面２ｂとの間に隙間５ａが形成されたり、軸受面４ｅとこれに対向する回動軸２の周面２ｄとの間に隙間５ｂが形成されることにより、また、軸受面４ｃとこれに対向する回動軸２の周面２ｃとの間や、軸押さえ部３の当接面３ａとこれに対向する回動軸２の周面２ａとの間に隙間が形成されることなどによりガタツキが生じることがあった。
【特許文献１】特開２００３−１０９４５９号公報
【特許文献２】特開２００６−１５０８７１号公報
【発明の開示】
【発明が解決しようとする課題】
【０００８】
この発明は、ボタンの回動軸が軸受と軸押さえ部とによって挟持され、回動軸中心に回動するボタン構造においてガタツキの発生を抑制することを目的の一つにしている。
【課題を解決するための手段】
【０００９】
前記目的を達成するため、本願の請求項１記載の発明は、
ボタンの回動軸が軸受と軸押さえ部とによって挟持され、回動軸中心に回動するボタン構造であって、
前記軸受は斜交する軸受面を有し、当該斜交する軸受面の対向する二点で前記回動軸の周面に当接し、
前記軸押さえ部は、前記回動軸の周面が前記軸受の軸受面に当接していない位置で前記回動軸に向かって突出する突起部を備えている
ことを特徴とするボタン構造である。
【発明を実施するための最良の形態】
【００１０】
以下、添付図面を参照して本発明の好ましい実施形態を説明する。なお、図１（ｃ）〜図１（ｅ）を用いて説明した従来のボタン構造と共通する部分には共通する符号を用いてその説明を省略する。
【００１１】
本発明のボタン構造は図１（ａ）、（ｂ）、図２、図３（ａ）、（ｂ）に示すように、ボタン１の回動軸２が、図３（ａ）において左右方向に延びるその長手方向の両端で、軸受７ａ、７ｂと、軸押さえ部１０とによって図２図示のように挟持され、回動軸２が回動軸中心に矢印６ａあるいは、矢印６ｂ方向に回動するものである。
【００１２】
回動軸２、軸受７ａ、７ｂ、軸押さえ部１０などはいずれも合成樹脂製にすることができるがこれに限られるものではない。
【００１３】
回動軸２の図３（ａ）における左右両端を支持する軸受７ａ、７ｂの構造は共通しているので、以下、軸受７ａ、７ｂに関しては、必要に応じて、軸受７ｂの構造のみ説明する。また、回動軸２、軸押さえ部１０に関しても、図３（ａ）中、左右両端の構造は共通しているので、必要に応じて、図３（ａ）中、右端の構造に関してのみ説明する。
【００１４】
本発明のボタン構造においては、図２図示のように、軸受７ａ、７ｂは、それぞれ、斜交する軸受面８ａ、８ｂを備えている。そして、この斜交する軸受面８ａ、８ｂの対向する二点９ａ、９ｂで回動軸２の周面２ｃに当接している。
【００１５】
一方、軸押さえ部１０は、回動軸２の周面２ｃが軸受７ａ、７ｂの軸受面８ａ、８ｂに当接していない位置に、図３（ａ）図示のように、回動軸２に向かって突起部１１ａ、１１ｂを備えている。
【００１６】
この突起部１１ａ、１１ｂは、いずれも、軸受７ａ、７ｂと共に軸押さえ部１０が回動軸２を挟持した際に回動軸２とオーバーラップする部分１１ｃを回動軸２に向かう側に備えている（図２、図３（ｂ））。図２、図３では、便宜上、突起部１１ａと１１ｂが回動軸２にオーバーラップしている状態で描いてある。実際には、回動軸２が少し撓むことにより突起部１１ａと１１ｂが回動軸２の周面と当接することになる。
【００１７】
本発明のボタン構造によれば、軸受７ａは斜交する軸受面８ａ、８ｂを有し、この斜交する軸受面８ａ、８ｂの対向する二点９ａ、９ｂが回動軸２の周面２ｃに当接する。そして、回動軸２とオーバーラップする部分１１ｃを回動軸２に向かう側に備えている突起部１１ａ、１１ｂを回動軸２に向かう側に備えている軸押さえ部１０と、この軸受７ａとによって回動軸２が挟持される。これによってガタツキの発生を抑えることができる。
【００１８】
例えば、図２における上下方向のガタツキは、斜交する軸受面８ａ、８ｂの対向する二点９ａ、９ｂで回動軸２の周面２ｃに当接する軸受７ａと、軸押さえ部１０とによって回動軸２が挟持されることによって抑えることができる。
【００１９】
また、回動軸２とオーバーラップする部分１１ｃを回動軸２に向かう側に備えている突起部１１ａ、１１ｂが、回動軸２の周面２ｂが軸受７ａ、７ｂの軸受面８ａ、８ｂに当接していない位置（回動軸の軸方向で異なる位置）における軸押さえ部１０に配備されている。すなわち、突起部１１ａ、１１ｂは、回動軸２の軸方向において、回動軸２の周面が軸受７ａ、７ｂの軸受面８ａ、８ｂと当接している位置とは異なる位置（回動軸の軸方向で異なる位置）で回動軸２に向かって突出している。そこで、押さえの支点がずらされ、軸押さえ部１０と軸受７ｂとによって回動軸２を挟持する構造が図３（ｂ）に拡大して現したようになり、オーバーラップする部分１１ｃによるラップ分が回動軸２のたわみによって吸収される。
【００２０】
こうして、図３（ａ）における左右方向、すなわち、ボタン構造における奥行き方向においてもガタツキが抑えられる。
【００２１】
すなわち、本発明のボタン構造によれば、図２における上下方向のガタツキ、図３（ａ）における左右方向、すなわち、ボタン構造における奥行き方向のガタツキの双方とも効果的に抑えることができる。
【００２２】
これによって、ボタンの回動軸が軸受と軸押さえ部とによって挟持され、回動軸中心に回動するボタン構造の操作性を向上させることができる。
【００２３】
このように、軸受７ａ、７ｂと軸押さえ部１０とで回動軸２を挟持するにあたって、斜め方向で交叉する二つの軸受面の対向する二点で、図２図示のように上下から回動軸２の周面２ｃに当接する軸受７ａ、７ｂと、オーバーラップ分を回動軸２のたわみによって吸収させる構造の突起部１１ａ、１１ｂを回動軸２の中心軸に向かって備えている軸押さえ部１０を使用しているので、クリアランスを金型調整等必要なくほぼゼロに設定しても、上下方向、奥行き方向のガタツキを効果的に抑えることができる。
【００２４】
前記のオーバーラップする部分１１ｃの大きさとしては、前述したように、オーバーラップ分を回動軸２のたわみによって吸収することや、回動軸２、軸受７ａ、７ｂ、軸押さえ部１０などの大きさ、材質などを考慮して定めることができるが、例えば、０．１〜０．２ｍｍ程度の設定にすることができる。
【００２５】
図２図示の実施形態では、断面三角形状を有する溝１２によって、軸受７ａ、７ｂがそれぞれ備えている斜交する軸受面８ａ、８ｂが形成されている構造を説明した。しかし、図示の断面三角形状を有する溝１２によるものに限らず、斜め方向で交叉する二面の軸受面が形成されていて、この斜め方向で交叉する二面の軸受面の対向する二点で、図２図示のように上下から回動軸２の周面２ｃに当接するものであれば、種々の形態が採用可能性ある。
【００２６】
以上、添付図面を参照して本発明の好ましい実施形態を説明したが、本発明はこれらに限られず、特許請求の範囲の記載から把握される技術的範囲において種々の形態に変更可能である。すなわち、本発明は、図示し、上述した実施形態に限られず、ボタンの回動軸が軸受と軸押さえ部とによって挟持され、回動軸中心に回動するボタン構造にはすべて適用可能である。
【図面の簡単な説明】
【００２７】
【図１】（ａ）本発明のボタン構造が採用されるボタンの一例を表す正面図、（ｂ）図１（ａ）の側面図、（ｃ）従来のボタン構造において回動軸が軸受と軸押さえ部とによって挟持される状態を表す横断面図、（ｄ）図１（ｃ）の一部拡大図、（ｅ）従来のボタン構造において回動軸が軸受と軸押さえ部とによって挟持される状態を表す縦断面図。
【図２】本発明のボタン構造の一例を表す図であって、回動軸が軸受と軸押さえ部とによって挟持される状態を表す縦断面図。
【図３】（ａ）本発明のボタン構造の一例を表す図であって、回動軸が軸受と軸押さえ部とによって挟持される状態を表す横断面図、（ｂ）図３（ａ）の一部拡大図。
【符号の説明】
【００２８】
１    ボタン
２    回動軸
２ｃ  回動軸の周面
７ａ、７ｂ  軸受
１０    軸押さえ部
８ａ、８ｂ  斜交する軸受面
９ａ、９ｂ  回動軸の周面に当接する軸受面の対向する二点
１１ａ、１１ｂ  突起部
１１ｃ  オーバーラップする部分
１２  断面三角形状を有する溝
【図１】
2010009997.tif 000003
【図２】
2010009997.tif 000004
【図３】
2010009997.tif 000005